(57)【要約】煙の事故、火事、地震、安全への侵害及び／又は有害ガスの危険レベルのような非常事態の場合、避難者が建物を出るのを支援するシステム及び方法は、そのような非常事態の場合に使われる出口経路の照明及び廊下の階の識別を提供するために、室内又は廊下の床及び近くに平行する線形の照明具を使い、幾つかの線状照明具は、出口の方へ避難者を導くために廊下に沿って方向を示し、また他の照明具はそこを通って確実に出られる窓又は扉のあたりを大まかに示し、前記照明具は、病院、ホテル、住宅及び使用中の建物構造の警報及び保安システムに連結された制御装置及び作動装置を有し、平常時にはほとんど目立たないが、非常事態が検出されたとき、計画された出口経路を照らし出す。【選択図】図３
2012511806.tif 000002
【特許請求の範囲】
【請求項１】
建物避難を必要とする緊急事態の場合に、視覚定位を可能にし、出入り口や窓のような戸口を有する構造物の避難者へ照明を提供するシステムであって、前記構造物の部屋又は廊下のような内部空間からの安全な緊急脱出の計画された経路があり、該経路は、前記構造物の内部又は外部の出入り口又は窓のような、戸口に通じており、前記システムは、
前記空間の壁の基部の近傍で該基部に沿い前記空間の床に全体的に平行する姿勢で、前記壁の幅木の上端又は下端に沿うように前記内部空間の壁に沿って配置された第１の線状照明具セクションと、
前記計画された緊急脱出経路の前記戸口に隣接する位置で前記壁に沿って全体に垂直姿勢で配置された第２の線状の照明具セクションと、
前記第１及び第２の照明具セクションにエネルギーを与えるための少なくとも１つのエネルギー供給装置であって該エネルギー供給装置が作動されたとき、前記セクションを照らすように該セクションと接続され、緊急状態が火災報知器、煙検出器、二酸化炭素検出器又はラドンガス検知器などの検出器によって検出されると、電気、電磁気又は可聴の信号などの信号に呼応して作動されるエネルギー供給装置と、
前記第２の線状照明具セクションに全体的に向かう線に沿って照明するように適合され、配置されている前記第１の線状照明具セクションの長さとを含み、
前記第１の線状照明具セクションは、撚られ、編まれあるいは織られた組合せのような複数の線状照明撚り糸の結合組合せを含み、また
前記第１の線状照明具セクションは、照明を提供すべくエネルギーを受けたとき避難者を前記第２の線状照明具セクションに向けて案内可能である、システム。
【請求項２】
前記結合組合せの少なくとも１つの撚り糸をその長さに沿った方向を示すために連続モードで照明を循環させるための、前記少なくとも１つのエネルギー供給装置に接続されたコントローラをさらに含み、前記方向は前記第２の照明具セクション、従って、前記戸口に向けられる、請求項１に記載のシステム。
【請求項３】
前記第１及び第２の線状照明セクションはエレクトロルミネッセンス線を含む、請求項１に記載のシステム。
【請求項４】
前記第１及び第２の線状照明具セクションの少なくとも1つは光ファイバーを含み、前記少なくとも１つのエネルギー供給装置はファイバーレーザー光照射器から成る、請求項１に記載のシステム。
【請求項５】
前記少なくとも１つのエネルギー供給装置は、交流電源が前記コントローラから切り離されたとき、係合される低電圧エネルギー供給装置を含む、請求項１に記載のシステム。
【請求項６】
前記少なくとも１つのエネルギー供給装置は、交流電源がスイッチング装置によって前記コントローラから外されたとき、係合される低電圧エネルギー供給装置を含む、請求項１に記載のシステム。
【請求項７】
緊急状態が前記検出器によって検出されるとき、表示される前記信号に呼応して、前記コントローラが前記少なくとも1つのエネルギー供給装置を作動させるべく適合される、請求項１に記載のシステム。
【請求項８】
前記コントローラは、前記検出器による緊急状態の検出に呼応して起動される無線周波数（ＲＦ）切り換え機構に呼応して、前記少なくとも1つのエネルギー供給装置を作動させるべく適合される、請求項７に記載のシステム。
【請求項９】
建物避難を必要とする緊急事態の場合に、視覚定位を可能にし、扉及び窓を有する構造物の避難者へ照明を提供するシステムであって、前記構造物の部屋などの第１の内部空間から前記構造物の廊下などの第２の内部空間に、そして外部空間又は前記構造物の別の廊下あるいは階段吹き抜けなどの第３の空間への安全な緊急脱出の設計された経路があり、該経路は前記第１の内部空間と前記第２の内部空間との間の出入り口などの第１の戸口、それから前記第２の内部空間と前記第３の空間との間の他の出入り口などの第２の戸口に通じており、前記システムは、
前記緊急脱出の設計された経路の前記第１の戸口に隣接した場所で前記第１の内部空間の壁に沿ってほぼ垂直な姿勢で配置された、前記第１の内部空間内の第１の線状照明具セクションと、
第２の線状照明具セクション及び第３の線状照明具セクションであって両者が前記第２の内部空間にあり、前記第２の内部空間の床にほぼ平行な姿勢で前記第２の内部空間の第１の壁部分の基部に沿って配置された第２の線状照明具セクション及び前記緊急脱出の設計された経路の前記第２の戸口に隣接する位置で前記第２の内部空間の第２の壁部分に沿ってほぼ垂直な姿勢で配置された第３の線状照明具セクションと、
前記第１、第２及び第３の照明具セクションにエネルギーを与えるための少なくとも１つのエネルギー供給装置であって該エネルギー供給装置が作動されたとき、前記セクションを照らすように該セクションと接続され、緊急状態が火災報知器、煙検出器、二酸化炭素検出器又はラドンガス検知器などの検出器によって検出されると、電気、電磁気又は可聴の信号などの信号に呼応して作動されるエネルギー供給装置と、
前記第１の戸口から前記第２の戸口へ全体的に向かう線に沿って照明するように適合され、配置される、前記第２の線状照明具セクションの長さであって、撚られ、編まれあるいは織られた組合せのような多数の線状照明撚り糸の絡み合った組合せを含む前記第２の線状照明具セクションの長さと、
該線状照明具セクションの長さに沿った方向であって全体に前記３の線状照明具セクションへ向けてしたがって前記第２の戸口へ向けて示された方向を示すべく連続モードで前記絡み合った組合せの少なくとも１つの撚り糸の周期的な照明のための前記少なくとも１つのエネルギー供給装置に接続されたコントローラとを含み、
前記第１の線状照明具セクションは、前記第１の空間で避難者が前記第１の戸口を見つることを支援すべく前記第１の戸口の境界を照明可能であり、
前記第２の照明具セクションは、照明されるとき、前記第２の空間内の避難者を前記第２の戸口へ向けて案内可能である、システム。
【請求項１０】
建物避難を必要とする緊急事態の場合に、視覚定位を可能にし、扉や窓のような戸口を有する構造物の避難者へ照明を提供するシステムであって、前記構造物の部屋などの第１の内部空間から前記構造物の廊下などの第２の内部空間に、そして外部空間又は前記構造物の別の廊下あるいは階段吹き抜けなどの第３の空間への安全な緊急脱出の設計された経路があり、該経路は前記第１の内部空間と前記第２の内部空間との間の第１の戸口、それから前記第２の内部空間と前記第３の空間との間の第２の戸口に通じており、前記システムは、
前記緊急脱出の設計された経路の前記第１の戸口の周囲の少なくとも一部に沿って配置された、前記第１の内部空間内の第１の線状照明具経路と、
第２の線状照明具経路及び第３の線状照明具経路であって両者が前記第２の内部空間にあり、前記第２の内部空間の床にほぼ平行な姿勢で前記第２の内部空間の壁の基部に沿って配置された第２の線状照明具経路及び前記緊急脱出の設計された経路の前記第２の戸口の周囲の少なくとも一部に沿って配置された第３の線状照明具経路と、
前記第１、第２及び第３の照明具経路にエネルギーを与えるための少なくとも１つのエネルギー供給装置であって該エネルギー供給装置が作動されたとき、前記経路を照らすように該経路と接続され、緊急状態が火災報知器、煙検出器、二酸化炭素検出器又はラドンガス検知器などの検出器によって検出されると、電気、電磁気又は可聴の信号などの信号に呼応して作動されるエネルギー供給装置と、
前記第１の戸口から前記第２の戸口へ全体的に向かう線の一部に沿って照明するように適合され、配置される、第２の線状照明具経路の長さであって、撚られ、編まれあるいは織られた組合せのような多数の線状照明撚り糸の絡み合った組合せを含む前記第２の線状照明具経路の長さと、
該長さに沿った方向であって全体に前記３の線状照明具経路へ向けてしたがって前記第２の戸口へ向けて示された方向の可視的表示を作り出すべく連続モードで前記絡み合った組合せの前記複数の撚り糸の周期的な照明のための前記少なくとも１つのエネルギー供給装置に接続されたコントローラとを含み、
前記第１の線状照明具経路は、該第１の経路が照明されるとき、前記第１の空間で避難者が前記第１の戸口を見つることを支援すべく前記第１の戸口の周囲の一部を照明可能であり、
前記第２の照明具経路は、該第２の経路が照明されるとき、前記第２の空間内の避難者を前記第２の戸口へ向けて案内可能であり、
前記第３の経路は、該第３の経路が照明されるとき、前記第２の空間内で避難者が前記第２の戸口を見つけることを支援すべく前記第２の戸口の周囲の一部を照明可能である、システム。
【発明の詳細な説明】
【技術分野】
【０００１】
本発明は、広くは、煙の事故、火事、地震、安全への侵害及び／又は有害ガスの危険なレベルの存在などの非常事態の場合に建物の居住者に照明及び／又は情報を提供するシステムに関する。本発明は、より具体的には、特に病院、ホテル、複数所帯住宅及び他の高層建物の警報及び保安システムを統合したような非常時に使用される出口経路の照明や床レベルの識別を提供しているシステム及び方法に関する。本発明は、そのようなシステム及び方法で使用される素材、物品及びプロセス、さらにそれらの使用方の方法及びいつ使用するかに関する。
【０００２】
本願は、２００８年１２月１２日に出願された同時係属中の「非常口経路の照明システム及び方法（EMERGENCY EXIT ROUTE ILLUMINATION SYSTEM AND METHODS）」の米国仮特許出願番号61/201,603に関し、その優先権を主張し、参照によりそのすべてが本書に組み込まれる。
【背景技術】
【０００３】
人々は、火事などの緊急事態に遭った建物にいるとき、特に、ホテル、病院又は居住者が短期間しか滞在しないため、建物を出る最もよい方法にあまり精通していないような他の公共施設などの建物では、過度に混乱し、方向感覚を失う傾向がある。緊急事態の間、警報装置は鳴り響き、しばしば散水装置は霧を吹き、主照明はしばしば消されて、廊下はほんの数分で煙によって見え無くなることがある。混乱要因のあげくの果て、煙が一旦人の目や肺に入ると、身体に障害を生じ、酸素供給の低下が生じるに伴いうろたえ始め、その結果、方向感覚の喪失が早期に始まる。
【０００４】
消防士や他の緊急要員が安全に感電死のリスクを負うことなく壁を突き抜けることができるように建物の主電源が止められたときでさえも、人々を避難所に誘導するのを支援すべく、消防規則が一般的に低電圧、ＤＣ駆動の点灯出口標識を要求していることは役立つ。出口照明装置が、煙感知器又は他の近くの又は遠隔の火災報知システムと接続されるなら、火災の場合に一斉に電力を供給され、また自動的に作動するから、なおさら良い。しかしながら、そのような標識及び報知器は、比較的高所に置かれる傾向があり、天井から垂れ下がるか、出口扉のフレーム上の壁に高く設置される。残念なことに、天井近くの空間は、最も早く煙で満ちる。構造火災を免れようとする人々は、手探りで煙の充満した廊下を進む間、低くかがみ、熱を避けて、床の近くで空気を見つけるために、四つんばいにさえなって這う傾向がある。それゆえ、火災にうろたえた人々が彼らを避難所に誘導することを意図している前記出口照明を見る可能性は、ほとんどないかもしれない。
【０００５】
そのため、オフィスビル、ナイトクラブ、ホテル、病院及び普通の住宅のようなビルや建物の居住者、及び援助のためにそのような建物に入る消防士は、規則に準拠した出口照明装置が設置され、完全に機能しているときでさえも、すぐに混乱し、方向感覚を失い、それから煙の充満した廊下で窒息させられる重大で危険な状態にいる。２００７年には、２,９７０人を超える民間人が構造物火災で死亡し（１５３分毎に１人の死者）、その多くは、構造物からの安全な出口を時期を逃さずに見つけることができなかったことの結果である。恐ろしいことに、援助をするために燃えている建物に入る訓練された消防士さえ、危険にさらされている。彼らが燃えている建物内で迷子になるか、方向感覚を失うようになって空気を使い果たすので、米国では毎年実に１２人以上の消防士の命が失われる。あまりにも多くの民間人及び消防士の遺体が、安全な出口又は脱出口であったかもしれないところからほんの数フィート以内で見つかっている。火事のほとんどの犠牲者は、窓の近く又は出口扉から１５フィート以内で見つかる。
【０００６】
類似の課題は、火災、洪水又は地震に起因するかどうかに拘わらず又は安全への侵害、有害ガス放出、テロ攻撃、爆弾脅威等の人為的脅威に起因するかどうかに拘わらず、建物構造物からの即時の避難を必要としているほとんどのいかなるタイプの災害又は緊急事態においても提示される。
【０００７】
何人かが、創造的な出口照明装置を設計することによって、そのような課題及び問題を克服しようとしたが、それらの試みは理想に対して遥かに不十分であった。それらの中には、以下の特許の発明者がいる。第 4,794,373号、第5,130,909号、第5,343,375号、第5,612,665号、第5,755,016号、第5,815,068号、第6,025,773号、第6,237,266号、第6,646,545号、第7,114,826号及び第7,255,454号である。
【先行技術文献】
【特許文献】
【０００８】
【特許文献１】米国特許第4,794,373号明細書
【特許文献２】米国特許第5,130,909号明細書
【特許文献３】米国特許第5,343,375号明細書
【特許文献４】米国特許第5,612,665号明細書
【特許文献５】米国特許第5,755,016号明細書
【特許文献６】米国特許第5,815,068号明細書
【特許文献７】米国特許第6,025,773号明細書
【特許文献８】米国特許第6,237,266号明細書
【特許文献９】米国特許第6,646,545号明細書
【特許文献１０】米国特許第7,114,826号明細書
【特許文献１１】米国特許第7,255,454号明細書
【発明の概要】
【発明が解決しようとする課題】
【０００９】
本発明の主目的は、緊急事態の場合に建物の居住者の命を救い、該居住者を正しい方向に向けさせることに役立ち、方向性を伴う照明の使用を通して出口にそのような居住者を誘導することによって損傷を避けることに役立つ方法で、従来技術の障害及び課題を克服することにある。
【課題を解決するための手段】
【００１０】
本発明の実施形態は、出口扉と、該扉に通じる廊下の基部との両方を目立たせる照明システムを警報が自動的に通電させるように、既存の建物及び一般的な新築設計の回路及びシステムを利用する。また、本発明は、方向を居住者に伝えるための手法の取り合わせによって、主要な出口に通じる連続した扉及び廊下を通って居住者を案内することが可能である。
【００１１】
本発明は、通常、時折追加されるか又は補正されるかもしれないが、添付の特許請求の範囲で定義される。しかしながら、当業者は、従来技術を考慮して、以下の説明から本願の他の特徴を認識することができるであろう。本発明の多くの他の特徴及び他の代替、変更、置換及び部分修正は、現請求項に記載されている発明及び明細書に記載されているが未だ請求項に記載されていない発明の範囲に入ることが理解されよう。
【図面の簡単な説明】
【００１２】
【図１】建物１００に設置された出口経路照明サブシステム４０の好ましい変形を説明するために参照として使われる高層の建物１００の上階の一般的な見取り図を示す。
【図２】建物１００の一般的な警報制御システム１５に関連した好ましい出口経路照明サブシステム４０の配線ブロック図である。
【図２Ｂ】図２に示された照明サブシステム４０の少なくとも１つの代替例のためのコントローラ４１及びエネルギー供給装置４８を収納する制御ボックス４０′の絵図である。
【図３】本発明の多くの実施形態に特有な線状照明具２０の配置のための実施例を示す建物１００の廊下１０５の内部の部分的な斜視図である。
【図４】床９５に近い高さで照明具２０を壁１０６と関連付ける１つの好ましい方法として、コーブ基材（cove base）１６０に予め形成された溝１６５に線状照明具２０が取り付けられている廊下１０５の壁１０６の横断面図である。参照のために、図４のためのおおよその地点が図３の右下部分の４−４面で指定されている。
【図４Ａ】幅木１６０に予め形成された溝１６５が無い実施形態の多くのために幅木１６０の後方へ照明具２０′の設置を可能にするように、一体的な長さ方向のフランジ３２０を備える照明具２０（番号２０′が付されている）の実施形態が示されている点を除いて、図４と同様な図面である。
【図５】図５の有利な箇所が廊下１０５の幅木１６０に関連した照明具２０の好ましい配置の説明を可能とするために拡大されており、また、１１０号室内の扉フレーム縁１５０(図６に示されている)の輪郭を描いている以外は、図４と同様な横断面図である。参照のために、図５のためのおおよその地点が図６の壁１４９の左下地域の５−５面として指定されている。
【図６】扉１３０の輪郭を強調する照明具２０のとりわけ好ましい配置を示す建物１００の１１０号室の中からの斜視図である。
【図７】出口扉１０３と関連する線状照明具２０の向かい合った経路２１及び２２の配置についてのより多くの詳細を示している出口扉１０３のより近い斜視図である点を除いて図３と同様な廊下１０５の内部の斜視図である。
【図８】本発明に係る出口経路照明サブシステム４０の他の及び／又は拡張された実施形態を示すべく図１から７の北階段１０３のような階段吹き抜け内からの斜視図である。
【図９】種々の実施形態の照明具２０の好ましいＥＬ線実施形態の直角な横断面を含む斜視図である。
【図１０】照明具２０の長さに沿って可視矢印の形状外観３３１及び３３２を表示するセグメント１４ｂ及び１４ｄと図４Ａに関して示されたような長さ方向の取り付けフランジ３２０とを好ましくは含む被覆又はケーシング１４′を備える代替の実施形態を示す点を除いて図９とよく似た斜視図である。
【発明を実施するための形態】
【００１３】
本発明のより広くより深い理解は、様々な実施形態において同様な構成要素について同様な数字が付された図１から９の図面に描かれたいくつかの好ましい実施形態の考察から得ることができるであろう。時折の段落又は項目見出しは、参照を容易にするために使われているが、そのような見出しは、一般的に、それらの段落／節に含められている記載の意味に影響を与えるものとして読まれるべきでない。
【００１４】
［緊急システム背景］
参照のために、図１は高層の建物１００の上階の一般的な見取り図を示す。図示の実施形態では、建物１００は高層のホテル建築物であるが、本発明の多くの態様は、また、居住者及び／又は緊急隊員が緊急時に出口を見つける補助が必要であるかもしれない、ほとんどいかなる使用中の建物構造にあっても高く評価され得る。それゆえ、代替実施形態では、建物１００は、商業用、住宅用あるいは工業用であっても良い。ホテルとしての建物１００に設置される好適な実施形態を参照するに、図１に示された建物１００のフロアは、２つの出口階段吹き抜けと、北階段１０１及び中央階段１０２と、中央通路すなわち廊下１０５と、１９個の客室１１０−１２８とを備える。扉１０３及び１０４は、それらが出口階段１０１及び１０２にそれぞれ通じているので、廊下１０５を去る最も安全な方法であることを予め予定されており、したがって、廊下出口扉１０３及び１０４と称されている。
【００１５】
図２を相互参照するに、建物１００はまた、監視サブシステム２２、警報サブシステム２３(該システムに出口経路照明サブシステム４０が接続される)及び緊急応答サブシステム２４を適合された緊急システム１５を備える。当業者は、より大きなシステムにネットワーク化されないローカルな煙感知器又は他の警報器から受け取られた電力又はトリガ信号のどちらかを代替的実施形態に設置することができる方法を容易に理解するであろうが、図２の実施形態では、緊急システム１５のためのコントローラ２１が建物全体１００のために集中化されている。当業者は理解できるように、それが煙や火の災害、安全への侵害、有害ガス災害又は緊急事態の他の形であるとしても、本発明の代替的実施形態は、緊急事態の場合に適切な出口経路を照明するように適合される。              
【００１６】
［監視サブシステム］
いずれにしても、監視サブシステム２２は、潜在的な危険を検出するために建物１００内及び／又はその回りの状況を監視するためのシステムである。好ましくは、煙感知器(図２及び７に示された火災感知器７３など、従来の煙感知器である)、熱感知器、一酸化炭素感知器又はそれらのいくつかの組み合わせという形で、システム１５の監視サブシステム２２は１つ以上の火災感知器を含む。そのような火災感知器は、煙及び熱のいずれか一方又は両方を検出すべく、好ましくは、光電センサと熱電対との組み合わせを含む。代替的実施形態は、また、１つ又は複数の火災感知器７３と共に(又は代替的に)監視サブシステム２２に、一酸化炭素又は他のガスの危険な高レベルを検出するためのセンサ、爆発力計、ラドンガス検知器、竜巻接近検出器、ガラス破壊センサ、扉又は窓（開放）センサ及び他のすべての所望のタイプの危険感知器を含む。
【００１７】
安全への侵害を監視する実施形態では、監視サブシステム２２は、ガラス破壊を監視するための感知器、又は扉／窓の開放警報スイッチ、動作探知装置及び／又は非常ボタンを含む。有害ガス災害を監視する実施形態では、前記監視サブシステムは、CO又は他の潜在的に危険な(ラドンなどの)ガスの過剰濃度を検知するためのセンサを前記建物内に又はまわりに含み、また前記緊急応答サブシステムは、望ましくは、そのような過剰濃度が検出される場合には特別な警報を光り及び音で発するために、警報システムと接続されるであろう。工業生産又は加工の環境では、制限された空間中での労働者に有毒ガスの警報を出すために同等のシステムを使用することができる。
【００１８】
［応答サブシステム］
危険な状態が検出されると、コントローラ２１は、警報サブシステム２３を作動させるだけでなく、望ましくは、緊急応答サブシステム２４を通して是正策を開始する。そのような是正策は、監視サブシステム２２による危険の検出に呼応して又はアラームスイッチの手動又は遠隔の作動に呼応して、検出された危険な状況を緩和することを意図している。火災状態を監視し、反応するための緊急システム１５の好適な実施形態では、緊急応答サブシステム２４は、他のタイプの緊急事態のために、散水装置、ハロゲン系又は類似の系を含むことができる消火システムを含むように具現化される。緊急応答サブシステム２４は、他の実施形態の前記消火圧システムに加えて(の代わりに)、他のタイプの作動装置を含む。警察及び警備機関に警報を出すための作動装置は、可視的及び可聴の警報器７２と同様に、例えば安全への侵害を監視するように適合された実施形態に含められる。
【００１９】
［警報サブシステム］
緊急システム１５の機能の最も中心的なものは、おそらく、監視サブシステム２２が危険な状況を検出するとき、居住者に警報を出すためにコントローラ２１によって実行される機能である。コントローラ２１は、警報サブシステム２３を制御することにより、可聴及び可視の両警報を伝えるために、そのような居住者に警報を出す。好ましい図２の実施形態では、警報サブシステム２３は、DC駆動で、図３及び７の出口灯７１の直下に設置された可聴の警報器及び閃光警報器７２の組み合わせを含む。さらに、警報サブシステム２３は、また、警報器７２が作動するときは常に出口扉及び／又は廊下を照明する出口経路照明サブシステム４０に接続されている。
【００２０】
［照明サブシステム］
本発明の好適な出口経路照明サブシステム４０は、警報器７２とともに作動されるべく、緊急システム１５とネットワークで結合される。設置の簡素化のために、出口経路照明サブシステム４０は、好ましくは警報器７２と同様に、低電圧ＤＣ電源で作動可能である。低電圧電源は、好ましくは、既存の監視及び警報のサブシステム２２及び２３の電圧に一致する電圧のバッテリ又はインバータのいずれかとすることができる。ここで留意すべきは、低電圧バッテリ電源の代案として、他の実施形態が、インバータ等を介して前記ＡＣ電源がＤＣ電源に変換すること又は前記ＡＣ電源を安全レベルに逓減し逓減されたＡＣ電力を直接照明具２０に向けることによる２つのモードの１つで、ＡＣ電源によって電力を受けるように適合されることである。照明サブシステム４０のための電力線４５は、警報器７２が作動するとき、照明サブシステム４０が自動的に作動するように、警報器７２を作動させる低電圧電力線７４に挿入することができる。選択肢として、図２に仮想線４５′で示されているように、サブシステム４０は、警報器７２内の電力を利用する。警報器７２の上流（電力線４５）に接続されていても、下流(電力線４５′)に接続されていても、機能的な概念は同じである。いずれにしても、警報器７２がコントローラ２１による警報条件の検出に呼応して電力線７４を通して電力を受け取るときは、常に出口経路照明サブシステム４０はその作動電力を受ける。
【００２１】
図示の実施形態では、出口経路照明サブシステム４０自体は、線状の照明具２０の少なくとも２つの経路（courses）２５、２６の前記照明具を作動し制御するように作用するコントローラ４１及び１つ以上のエネルギー供給装置４８を含む。作動中、電力がリード線４５を通って照明サブシステム４０に供給されるとき、コントローラ４１は、経路（courses）２５、２６が明るく見え易い光を放つよう、これらにエネルギーを与えるように、エネルギー供給装置４８を制御する。これは、好ましくは、エレクトロルミネッセンス（ＥＬ）線という形の経路２５及び２６の線状照明具２０を具体化することによって達成される。尤も、種々の選択肢の中には、特に従来技術を考慮してこの詳細な説明についてさらに読むことによって当業者にとって明らかになるように、ＥＬ線を使用する利点の総てではないがそのいくつかに近似するものもある。
【００２２】
［照明具の機能］
図２実施形態では、サブシステム４０の最重要点は出口経路照明サブシステム４０であり、該システムは、１つ以上の緊急状態に呼応して線状の照明具の経路にエネルギーを与えるように適合する。好ましくは、前記線状の照明具がエネルギーを与えられないとき、前記線状照明具は、該照明具が設置されている廊下１０５のような空間で、通行人の注目をほとんど引かない。しかしながら、エネルギー供給装置４８によって作動されると、前記線状の照明具(種々の図示の実施形態では、線状の照明具２０、２０′及び４２０として番号が付されている)は、（ｉ）１つ以上の出口扉を照明し(「扉照明」機能)、及び／又は（ii）前記出口扉に通じる空間の周りで前記壁の基部を照明する (「廊下照明」機能)ことによって、居住者が建物１００を出るのを支援する。
【００２３】
廊下１０５との関連で、サブシステム４０は、好ましくは、廊下１０５に面する扉１０３−１０４の側、したがって扉１０３及び１０４の「廊下方向（hallward）」側と称する側を照明することによって、扉１０３−１０４のドア照明を行う。一つには照明具２０の線状の性質のため、また一つには(実際の扉自体というよりも)扉１０３及び１０４のためのフレーム上又はそのまわりへのそれ自体の設置の種々の好ましい経路のために、扉１０３から１０４のための前記扉照明具は、扉１０３及び１０４を強調するために、また出口扉１０３及び１０４の輪郭を描く。同様に廊下１０５との関連で、サブシステム４０は、壁１０６−１０７の前記基部を照明することにより、好ましくは壁１０６−１０７の前記基部の線に沿って照明することにより、廊下照明をも実行する。それゆえ、壁１０６及び１０７の前記基部に沿った廊下照明は、出口扉１０３及び１０４への道筋を際立たせる。照明具２０が取り付けられて廊下照明が最も明るい幅木１６０の固有の低い高さは、火事の場合のような廊下１０５が煙で満たされるときでさえ、廊下１０５にいる人に極めて容易に視認することができるという利点を提供する。
【００２４】
［線状照明具の経路］
線状照明具２０は、好ましくは、隠されたスパン４９下のエネルギー供給装置４８から２つの経路２５−２６が出口扉１０３上の２つの終点２３−２４(図７にそれぞれ示されている)に伸びるように取り付けられる。図7を参照するに、スパン４９(点線で示されている)は、両経路２５及び２６がエネルギーを与えられるときにさえ、廊下１０５にいる人がそのスパン４９から光が出るのを見ることができないという意味で、好ましくは隠され、そのような遮蔽は、不透明なスリーブにスパン４９を封じ込めることによって又は壁１０７内の囲まれた空間を通って点２３及び２４に該スパンを送り込むことによって達成されている。
【００２５】
さらに、ここに説明されるように、経路２５−２６の残りの部分（すなわちスパン４９からはみ出した部分）は、点２３及び２４からから左右に広がって配置され、出口扉１０３の左半分及び右半分のそれぞれの輪郭を描き、その後、床９５に隣接する幅木１６０に沿って廊下１０５の壁の基部を照明する。好ましくは、出口経路照明システムの同様な設備は、出口扉１０３、１０４及び４０４(図８に示されている)及び建物１００の全体のためのすべての他の出口扉に関して作られる。
【００２６】
図３−７は、少なくとも、該図に示された好適な実施例と関連するので、線状照明具２０の経路２５及び２６の光を与える部分２１及び２２をより理解することを可能にするであろう。図３は、建物１００の廊下１０５の内部の斜視図であり、本発明の種々の態様に係る線状照明具２０の配置を示す。図７は、出口扉１０３へのより近い視点を除いて、図３と同様な廊下１０５の内部の斜視図であり、その出口扉１０３に関連して線状照明具２０の配置をより詳細に示す。
【００２７】
扉及び廊下１０５の角の間隔による相違点以外、終点２３、２４を越えた部分で、経路２５及び２６は、基本特性において相互に類似している。出口扉１０３上の終点２３及び２４から、左方の経路２５は扉フレーム縁９７の左側の輪郭を描き、右方の経路２６は扉フレーム縁９７の右側の輪郭を描く。図７で明らかなように、終点２３及び２４は、２つの経路２５及び２６の点灯部分２１及び２２の開始を示す。点灯部分２１及び２２は、照らされた出口扉１０３の回り及びそれを越えてそれぞれ反対方向に進むように置かれる。経路２１は終点２３から図７において左に進み、他方、経路２２は終点２４から図７において右に進む。終点２３及び２４は、出口扉１０３の一般的に戸口の中心線上にあり、標識７１下で互いに隣接して配置されている。照明具２０の経路２１及び２２は、出口扉１０３の左右の一半の輪郭をそれぞれ描き、好ましくは、該経路がそれぞれ幅木１６０の上縁と角１８及び１９で接するまで、出口扉１０３の扉フレーム縁９７の外縁に沿って適所に付着されるか鋲で留められる。出口扉１０３に関して、角１８及び１９は経路２１及び２２のドア輪郭を描く部分の終端をそれぞれ示す。照明具２０のそのようなドア輪郭を描く部分は、動作エネルギーを与えられると、出口扉１０３のドア照明を達成するだけでなく、廊下１０５に立っている誰にでも出口扉１０３の形を著しく強調する目的を果たす。出口扉１０３のさらなる強調のために、この出口扉１０３の輪郭の前記照明具は、好ましくは、廊下１０５の視認者に対してドア輪郭を描く部分を赤く着色するために、透明な赤いスリーブで被覆される。
【００２８】
廊下を照明するために、線状照明具２０は、壁１０６−１０７が廊下１０５の床９５に接する壁１０６−１０７の基部に沿って動作可能に取り付けられる。廊下１０５に立っている人に有利となる観点から、各出口扉１０３−１０４のための照明具２０の上記で説明されたドア輪郭を描く部分は別として、本質的に、好適な実施形態の照明具２０の他のすべての部分は、壁１０６−１０７の前記基部に沿って配置され、該基部は好ましくは幅木１６０を含む。廊下１０５の側壁１０６の下部に沿って、好ましくは幅木１６０に沿って、線状照明具２０を長さ方向にそのように位置決めした状態で、照明具２０は、出口扉１０３及び１０４への経路(又は通り道)を明示するだけでなく廊下照明のために置かれる。動作可能にエネルギーを与えられると、照明具２０は、床９５に隣接する幅木１６０に沿って、廊下１０５のそれぞれの側を照らす。照明具２０が床９５に近接するので、床９５自体の大部分も、居住者が建物１００を退去する道を照らす支援をなすように、また照明される。そのような位置決めのため、照明具２０の幅木１６０に沿った部分は、参照のために、照明具２０の「廊下明示部分」と称される。
【００２９】
いくつかの実施形態では、扉フレーム輪郭を描く部分が扉１０３の扉フレーム９７の外縁に沿って付着されるか鋲で留められると同様に、幅木１６０に沿った配置は、該幅木に沿って照明具２０を付着するかを鋲で留めることによって達成される。
【００３０】
［幅木溝への照明具の配置］
しかし、1つの好ましい選択肢として、幅木１６０に予め形成され、押出し成形され又は切り込まれた溝１６５は、幅木１６０に関連する適所に照明具２０の前記廊下明示部分を固定する。図３及び４に最もよく示されているように、幅木１６０は、望ましくは、マスチック又は他の従来の建築接着剤によって壁１０６の下縁に固着されるエラストマービニールコーブ基材として具体化される。溝１６５は、好ましくはコーブ基材１６０に予め形成され、該コーブ基材の製造プロセス(すなわち押出し加工)の間に形成される。図示のように、溝１６５はコーブ基材の幅木１６０の上端１６０ａに沿って連続する溝であるが、溝１６５は、代替的に、下端１６０ｄ、屈曲部１６０ｃ又は幅木１６０の垂直面１６０ｂの中途のどこででも置くことができる。溝１６５は、照明具２０の便利で確実な配置を可能にするだけでなく、また、該照明具が点灯しない限り、それが目立たないように、照明具２０をわずかに(輪郭的に)突出させる。
【００３１】
図４は、床９５に隣接する壁１０６の基部の高さで該壁に照明具２０を結合させる１つの好ましい方法として、線状照明具２０がコーブ基材１６０の予め形成された溝１６５に取り付けられている廊下１０５の壁１０６の横断面図である。線状照明具２０の最小直径(好ましくは、３．５ｍｍ未満)に加えて、照明具２０の好適な実施例は、透明で、柔軟で、スリーブ状のケーシング又は被覆１４(図９に仮想線で示されている)を含む。被覆１４は、好ましくは、柔軟で、透明なＰＶＣ被覆又は透明なＬＳＺＨ(ロースモークゼロハロゲン)被覆である。被覆１４の比較的小さな直径及び透明な特性は、幅木１６０に沿う照明具２０を比較的目立たなくすること(すなわち廊下１０５のうわべだけを見ている人に対する不可視性)を提供することに役立っている。この形態は、一つにはコーブ基材１６０の線上の地味な配置とそこから突出しているその最小の外形のために、線状照明具２０の前記廊下明示部分が、点灯しないとき比較的見えないながら、廊下１０５の経路をたどることを可能にする。
【００３２】
［フランジ付き代替照明具］
図４Ａは、照明具２０の代替実施形態すなわち一体的な長さ方向のフランジ（すなわち後尾部）３２０を有する照明具２０′を示す以外、図４に極めて類似している。図１０にまた描かれているように、フランジ３２０は、好ましくは照明具２０の被覆１４と一体に形成されている。長さ方向のフランジ３２０(又はその等価物)は、好ましくは照明具２０の外装すなわちケーシング１４と同じ素材で形成されている。フランジ３２０は、したがって、柔軟なエラストマー合成物を含む。フランジ３２０は、また、好ましくは、それ自体に柔軟性及び支持のバランスを与えるために、その末端に向けて(図１０に示されているように)わずかに先細りになる薄い横断面を有する。フランジ３２０の構造は、図４Ａに示されるように、幅木１６０の背後に(釘、ステープル、接着剤又は同種のもので)フランジ３２０の取付けを可能にする。幅木１６０の背後への(すなわち幅木１６０と壁１０６との間の隙間への)フランジ３２０のそのような取付けは、幅木１６０の上端１６０ａに沿って照明具２０の残部（すなわち図１０に全体に丸い断面を有する本体）が置かれているように見えるように、該残部を位置付ける。それゆえ、フランジ３２０を含む照明具２０の変形は、溝１６５が構成されていない幅木１６０の実施形態に特によく適合する。
【００３３】
［非出口扉への適用］
廊下の出口扉の輪郭を描き、該出口扉を照明することは、本発明の多くの実施の形態の特徴であるが、同じ廊下の他の扉(すなわち、理想的な出口から離れて誤って案内する「上流に向かう」あるいは「非出口」扉)は、混乱を最小化するために輪郭を描かず、照明しないことが好ましい。それゆえ、廊下１０５内から見られるように、出口扉１０３及び１０４(図１に示されている)の廊下側は輪郭を描かれ、照明されるが、扉１３０−１４８の廊下側は、好ましくは輪郭を描かれたり照明されたりしない。同じ廊下１０５の扉のそのような選択的な照明、すなわち他の扉１３０−１４８を照明すること無しに出口扉１０３及び１０４を照明することは、廊下１０５のための出口扉１０３及び１０４に関して、上流(すなわち非出口)扉１３０−１４８の廊下側を暗くする。
【００３４】
また廊下１０５の幅木１６０を照明するが上流扉１３０−１４８の廊下側を相対的に暗くすることは、好ましくは、上流扉１３０−１４８の廊下側を迂回することによるか又は上流扉１３０−１４８の廊下側のまわりで不透明なシースにより照明具２０を被覆することによって、この２つの代替方法の一方で達成される。エレベータ扉及び退去目的で開かれない他の扉は、どの図面にもはっきりとは示されていないが、照明具２０がエネルギーを与えられるとき、照明されない（すなわち相対的に暗くされる）上流扉と同じ又はほぼ同じように、取り扱われる。
【００３５】
上流扉１３０−１４８の廊下側を迂回すること自体は、好ましくは２つの方法の一方、すなわち照明具がそのスパン中に見えないように(また同時につまずく危険を与えないように)上流扉１３０−１４８のための扉枠の下に照明具を通すか、又はそのような上流扉１３０−１４８の反対側(すなわち部屋側)を照明するかのいずれかによってなすことができる。
【００３６】
［扉の部屋側の輪郭を描く］
図５に関し、扉１３０−１４８の室内側を照明することによって廊下側を迂回するための好ましい位置決め及び関連した設置方法は高く評価されるであろう。図３をも相互参照するに、照明具２０の前記廊下明示部分は、廊下の出口扉１０３から１１０号室のための扉１３０のまわりのフレーム縁１０８の近位縁１０８ａに進む。そして、廊下１０５での居住者の混乱を最小化するために、照明具２０は、好ましくは廊下１０５(図３に見えている)に面する廊下側では、扉１３０の輪郭を描かない。逆に、照明具２０が扉フレーム縁１０８の近位縁１０８ａと出会う点から、照明具２０経路は、壁１０６を貫通し、扉１３０の室内側で該扉の輪郭を描き、(図６に見えるように)１１０号室の室内にある。そして、その室内側で扉１３０の前記フレーム１５０の周囲１５１を取り巻いて進んだ後、照明具２０の経路は、壁１０６を通って廊下１０５内に戻るように導かれる。
【００３７】
扉１３０の室内側での照明具２０の設置は、図５及び６を相互参照することによって、より具体的に理解することができる。照明具２０が取り付けられるとき、出口扉１０３から離れて進む経路は、最初に、壁１０６から壁１４９を通って開けられた穴を通り１１０号室に入り、幅木１５２が扉１３０の室内側フレーム１５０と隣接する接合点１４９ａで１１０号室に入る。照明具２０の経路は、次に、１１０号室の中で扉１３０の室内側を照明し、及び／又は輪郭を描くために照明具２０の扉照明部分２０′′を作り出すべく、上方に案内され、扉フレーム１５０の周囲１５１を取り巻くように案内される。フレーム１５０の周囲１５１が再び１１０号室の幅木１５２に交差する接合点１４９ｂで、１１０号室の扉照明部分２０′′は、終わる。照明具２０の経路は、接合点１４９ｂで壁１４９及び壁１０６を貫通し、１１０号室を出て、廊下１０５に再び入る。
【００３８】
図５に見られるように、壁１４９と壁１０６とが実際に同じ壁の反対側の壁板面であることを認識するであろう。したがって、照明具２０の経路は、１１０号室から廊下１０５へと壁を貫通する（又は、類推により、逆に廊下１０５から部屋１１０−１２８の一つに貫通する）ために、前記経路は、壁板の両層とその間にあるすべてのものを通過する。これは、好ましくは壁１０６の匹敵する穴１０６ａと位置合わせされた壁１４９の接合点１４９ｂにドリルで開けるか、さもなければ、穴１４９ｂ′を設けることによって遂行することができる。穴１０６ａは、コーブ基材１６０の上端１６０ａがフレーム縁１０８の縁部１０８ｂに隣接する角に近い壁１０６の廊下側に置かれる。次に、前記線状の照明具は、１１０号室から穴１４９ｂ′及び１０６ａを通って供給される。照明具２０は、廊下１０５内に戻り、次に、先に説明された方法で前記廊下明示経路に再び会うために、コーブ基材１６０に沿って再び固定され得る。
【００３９】
同様に、廊下１０５のための各扉１３０−１４８など、特定のスペースのための上流扉のそれぞれは、それらの廊下側を好ましくは回避され、代わりにそれらの室内(又は上流)側で照明される。廊下１０５に備え付けられる前記照明に加えて、扉１３０−１４８の室内側で該扉の輪郭を描き及び／又は照明することは、部屋１１０−１２８内の居住者が、視覚的にシステム１５によって検出された緊急状態の場合に、避難所への道を識別することを可能にする。
【００４０】
［連続点灯の出口扉］
したがって、使用時、照明が所定の出口ドア(出口扉１０３などの)からの線状の照明具２０の1つの回路からエネルギーを与えられると、照明された順路は、上流の部屋の居住者を避難所に通じている連続した戸口を通して案内する。例えば、出口扉１０３の照明具回路について、システム１５が火事又は他の緊急事態を検出したとき、建物１００のホテルの客が１１０号室のベッド１１０′で眠っていると、前記システム１５は、前記客を建物１００から漸次安全な出口に連れて行くために、そのサブシステム２３及び４０を制御する。そのような進行は、警報器７２からの可聴のアラームで始まり、客を起こし、警戒を促す。警告時、前記客は、扉１３０の室内側が明るく照らされ、該扉が輪郭付けられていることよって強調されることに気付き、該輪郭は、ベッド１１０′から起きて、扉１３０を通って１１０号室から廊下１０５に出るように、前記客を促す。廊下１０５に出ると、幅木１６０に沿った廊下照明は、前記客が出口扉１０３へ向けて動くための経路を示し、強調する。
【００４１】
さらに、照明された扉１３０を通って１１０号室を出ることをたった今経験した客の部屋退出プロセスは、連続して点灯された扉を通って退去するように客を訓練する。したがって、照明具２０の扉照明は、他の上流扉(例えば扉１３２及び１３３)が廊下１０５に面している側で相対的に暗くなるのに対して、前記客がその照明を見ると出口扉１０３を通って出るように前記客を引き寄せる。この学習退出行動の明確さの補強には、前記照明システムは、部屋１１０−１２８内の扉照明の外観が廊下１０５の出口扉１０３の外観とほぼ同じになるように設置されるのが好ましい。それゆえ、扉１０３の輪郭を描く照明具２０の輪郭を描く部分が好ましくは赤に照明するように(又は他の如何なるユニークな方法で)適合されるなら、個々の部屋の扉照明部分２０′′部分にも、また扉１０３と同様な方法で赤に照明するように、スリーブ、被覆等を適用することが好ましい。
【００４２】
ほぼ同じことは、建物１００の部屋１１０−１２８のいずれの居住者にもあてはまる。照明サブシステム４０がエネルギーを与えられると、廊下１０５の主要通路と接続する部屋１１０−１２８内から見られるように、戸口１３０−１４８のそれぞれは照明される。けれども、すでに部屋１１０−１２８の外の廊下１０５にいる居住者の視点からは、同じ戸口１３０−１４８の廊下側は相対的に暗くなる。
【００４３】
［階段吹き抜けでのさらなる進行］
図８は、本発明の教示に係る出口経路照明サブシステム４０の他の及び／又は拡張された実施形態を説明する図１の北階段１０１などの階段吹き抜け内からの斜視図である。図８では、線状の照明具４２０が階段吹き抜けに取り付けられている以外、該線状の照明具４２０やそのコントローラ４４０及び他の関連構成要素は図１−７の照明具２０と同様である。図示の階段吹き抜け１０１には、２つの扉１０３及び４０３がある。階段吹き抜け１０１内から、扉１０３が廊下１０５に戻るように通じているが、扉４０３は避難所に至るものであり、該扉４０３を通って居住者が緊急事態の場合に進むべきものにしている。
【００４４】
図１−７の実施形態におけるように、照明具４２０の起端は、階段吹き抜け１０１にいる居住者が緊急事態において退出すべき出口扉４０３上にある。それらの前記起端から、照明具４２０の相対する経路４２１−４２２は、扉フレーム縁４９７の輪郭を描き、また次に、壁４０７の幅木４６０に沿って横に続き、それから側壁４０６の底部で幅木４６０に沿い、階段吹き抜けの経路の長さ方向に沿って及び出口扉４０３から階段を上方又は下方へ離れて(図８における壁４０６の下方へ)続いている。それゆえ、ホテルの客が廊下１０５から階段吹き抜け１０１に出ると、客を避難所に案内し続けるべく経路照明及び扉照明のさらなる連続がある。
【００４５】
階段吹き抜け照明具４２０の代わりの実施形態として、その経路は、階段吹き抜け１０１で居住者を正しく判断させる手助けのために、壁４０６壁の基部に沿って階段４９６の階段のステップの輪郭を強調するように、適合することができる。この選択肢は、階段４９６の正確なステップ輪郭形状に従う線状の照明具２０を提示する。前記コントローラ及びエネルギー供給装置は、前記２つの扉間の照明具４２０の階段式の外観を除いて、図８を含む他の図面に描き出されたそれに類似する。
【００４６】
［上流部屋内の選択肢］
当業者にとって明らかなように、システム１５及びサブシステム２２−２４及び４０のテーマに多くの変形がある。例えば、図６の斜視図に関して、宿泊施設は、
好ましくは、照明するのだけでなく居住者が扉１３０に近づくように動く方向を示すように適応して、１１０号室などの部屋の中ですべての幅木に沿って線状の照明具を追加することができる。
【００４７】
また明らかなように、廊下１０５にあるいは該廊下を通って出ることができる寝泊まりする部屋、食堂、宴会ホール、洗面所、ダンスホール又は他のタイプの如何なる部屋であるかに拘わらず、同様な連続する出口扉照明は、さらに他のホール、部屋等への上流に拡張することができる。サブシステム４０のような追加の照明サブシステムは、そのような上流の部屋及びホールから居住者を廊下１０５に向けて案内すべく配備することができ、図１において示された前記システムは、そのとき彼らを出口扉１０３−１０４に導き、これにより居住者を建物１００から順次最終出口に導く。
【００４８】
［ＥＬ線の実施形態］
先に説明したように、いくつかの好適な実施形態は、EL線のような照明具２０を具体化し、該ＥＬ線は、最小の電力消費量で明るい照明を提供することを可能とする。実に、現在入手可能なＥＬ線は、０．９ｍｍの直径を有するＥＬ線(イスラエルのLytechや中国の他のメーカーから入手可能である)で長さフィートあたり約０．１５アンペアしか消費しない。１つのすぐに入手可能な１２ボルトバッテリで、幾つかの好適な実施形態では、８００から一千フィート（243.84〜304.80メートル）のＥＬ線を容易に点灯することができる。
【００４９】
好ましいＥＬ線の実施形態は、市販されている「高輝度」ＥＬ線を使用し、該ＥＬ線は透明なアウタケーシング１４を有し、エネルギーを与えられないときはかなり青白く見えるが、明るいアクアブルーとして点灯する。発明者は、「高輝度」のものが高可視照明を提供することを見出した。図２Ｂに関して、照明具２０の経路２５−２６に供給される電力レベルを調整し、これにより照明具２０がエネルギーを与えられたとき、その明るさを調整するために、ノブ３８がコントローラコンソール４０′に設けられている。ＥＬ線の複数の撚り糸(又は他の形状の照明具)は、(ここにさらに説明されるように)いくつかの実施形態で強化機能のために使われるが、各照明具２０は好ましくは少なくとも1つのＥＬ線の撚り糸で構成される。
【００５０】
［屈曲］
これから明らかになるように、照明具２０のために使用される技術のタイプは、好ましくは、種々の図面に示されている点１８、１９、１４９ａ及び１４９ｂでのように、あるいは扉枠の輪郭を描くために及び扉と幅木との間等の移行のために、９０度の曲がり角を通るように屈曲(又は結合)されているにもかかわらず、効果的に照明し続けることができるような照明具２０である。本発明のＥＬ線の実施形態は、ＥＬ線照明具が容易に９０度又はそれ以上に曲げることができるので、一つには、この理由により好まれる。そのような鋭い屈曲にもかかわらず、ＥＬ線は容易に亀裂や切断が生じることはなく、光を送り続けるであろう。
【００５１】
［方向性］
この文脈における「方向性」は、建物１００内の居住者にどの道筋が出口に向かうかを示す照明システム又は個々の照明具の属性を言う。ここに教示されるように、照明具の個々のセクションが方向性に特別に適応しない限り、廊下照明はそれだけでは方向性を示さない。しかしながら、扉照明は、居住者が退去することができる扉を明示するので、方向性を提供する。同様に、照明サブシステム４０の全体は、出口扉照明、廊下１０５からの道筋であることを居住者に伝える出口扉１０３−１０４の照明及びそれら出口扉１０３−１０４への道筋の輪郭を描きまた照明している廊下１０５の廊下照明と組み合わせることにより、方向性を提供する。本書の他の箇所で説明されているように、出口扉照明によって達成される方向性は、出口扉１０３−１０４の扉照明を着色、好ましくは赤色にすることによって、該出口扉を強調し、またそのように着色されない廊下１０５の他の部分とさらに識別することにより、さらに強化される。
【００５２】
さらに、居住者が、前記出口扉照明を見ることができず、異なる色等に気付くことができなくても、線状照明具２０の個々のセクションは、方向性を提供するように、特に、特定の実施形態で構成される。望ましくは、照明具２０にこのタイプの方向性を提供するための選択肢は、以下の３つのアプローチのうちの１つ以上によってそのような方向性を実現する。（１）照明具２０から放たれた光が照明具２０の長手方向に沿って特定の方向、好ましくは出口扉１０３に向けて進み、これによって波状動作（「波」又は「パルス」効果と称される）を引き起こす錯覚を生じるように前記照明具を適応させて、制御すること、（２）出口扉１０３への方向を指し示すために、線状照明具２０上に、又はこれと連携して矢形の像(マスキングすることによりの暗いあるいは明るい像)を提供すること、（３）照明具２０が出口扉１０３−１０４に近い壁部分ごとで出口扉１０３−１０４の色に漸次近づくように、壁１０６の異なる部分に沿って照明具２０の色を変える、好ましくはより淡い色からより赤い色に変化させること、である。いくつかの好適な実施形態は、廊下照明の方向性のために、これらのアプローチの２つを組み合わせるが、他の好適な実施形態は廊下照明の方向性のためにこれらのアプローチの1つのみを使う。方向性の特定のタイプに関わりなく、照明具２０は、好ましくは、出口扉１０３−１０２（及び図８の出口扉２０３)への経路を照らすだけでなく、方向を示すように適合される。それゆえ、(廊下１０５のような)ホールで照明具２０を見ているある人は、出口に到着するためにどの道を行くべきかを見定めることができる。
【００５３】
［多重撚り線照明具］
例えば、図９の照明具２０は、パルス効果を生み出すために連続したサイクルでエネルギーを与えられることができる３つの個別な照明撚り糸１１−１３を結合する好適な実施形態である。各撚り糸１１−１３は、好ましくは、直径が１ミリメートル未満（相対的に不可視であることを可能にするため）であるが、各撚り糸１１−１３はそれ自体で線形照明具の構成を有する。例えば、各撚り糸１１−１３の線状照明具としてＥＬ線技術を使うので、各撚り糸１１−１３は、ＥＬ線に特有なリンベースの照明層１１ｂ−１３ｂで覆われた中心導体１１ａ−１３ａ及びＥＬ線技術に必要な他の構成要素（図示せず）を含む。そのような多重撚り線構造によって波効果を生じるために、各撚り糸は、その照明の明るさが波状のように変化するように管理された方法で動作可能にエネルギーを与えられ、また結合された多重撚り線照明具２０が照明具２０の長さに沿って連続パルスが動いている錯覚を引き起こすように、各撚り糸１１−１３が同じ周波数であるが互いに位相をずらせて照明されるようにエネルギーを与える周期が調節される。
【００５４】
図２Ｂに示されているように、照明コントローラ４１が線４５を通じて有効電力を受け取ると、出口扉１０３から伸長する２つの対向する経路２５−２６は、適切なコントロールコンソール４０′に接続されているので、反対側の経路２５−２６の長さに廊下照明が達することを可能にするまで、幅木１６０に沿って扉１０３に向けて動くパルスの錯覚を作り出すように制御される。扉１０３からの、例えば経路２５の長さ(図７の可視部分２１を含み)は、扉１３２−１３５を通り過ぎる廊下照明の設置を可能とするについて十分である。廊下１０５の反対側では、経路２６の長さ（図７の可視部分２２を含み）は、扉１３０及び１３１を通り過ぎる廊下照明の設置を可能とするについて十分である。２つの経路２５−２６は、共に、出口扉１０３のまわりに設けられた作動的な対の照明具回路を提供する。対応する出口扉１０３−１０４のまわりの廊下１０５の形状に応じた種々の変形が当然になされるであろうが、照明具回路の同様な対は、好ましくは、建物１００の各主要な出口扉１０３−１０４のために設置される。理解されるように、追加(すなわち１対より多く)の照明具回路及び／又は補足的なコントローラ４１又は補足的な電源装置及びエネルギー供給装置４８は、より複雑な廊下の形状のために必要となる場合、追加することができる。
【００５５】
図２Ｂに関して、フラッシュセレクタトグルスイッチ３７は、必要に応じて、パルス効果を可能にするために設けられる。パルス効果が有効にされない場合、経路２５−２６の全体は、パルス効果を生み出さずに絶え間なく照明される。コントロールコンソール４０′は、また、撚り糸１１−１３のそれぞれが照明される頻度を調整することによって、パルスが線状照明具２０のいずれかの経路２５−２６に沿って移動するように見える速度を調整するためのノブ３９を有する。
【００５６】
線状照明具２０の代替的な多重撚り線の実施形態が種々の利点を有する(２本以上)の他の本数の撚り糸１１−１３を含むことができることは、また注目される。さらに、他の代替的な多重撚り線の実施形態は、方向性を可能にするが(図９に示されるような)簡単な撚りと違う方法で、支持基材内に一緒に撚り糸を編むか、織ることによって、多数の撚り糸１１−１３を結合する。
【００５７】
［矢印形状の方向性機能］
照明具２０の方向性は、エネルギーを与えられると、単独で又は他の方向性機能との組み合わせで、照明具２０に方向的な形状の画像を含ませることによって達成することができる。図１０は、照明具２０の代替実施形態として、例えば扉照明部分２０′を示す。照明具２０′の撚り糸１１−１３は、照明具２０の撚り糸１１−１３と同じである。図１０における方向性の違いは、照明具２０′の円周ケーシング１４′が矢形状の外観３３１及び３３２を含むことである。そのような外観３３１−３３２によって、照明具２０′が幅木１６０に関して作動的に設置されエネルギーを与えられると、前記外観は、見る者に、対応する出口扉１０３の上方の前記基端点へ戻る大まかな方向への方向性を示すべく、照明具２０の長さに沿って示す矢形の画像を提示する。
【００５８】
好ましくは、矢形状の外観３３１−３３２は、照明具２０′の円周ケーシング１４′の暗くなった帯域１４ｂ及び１４ｄ上の透明な矢形の窓である。そのような窓の作成は、絵画、印刷等により、又は予め形成された矢形の窓を有する分離可能なプラスチック製又は金属製の切り抜きの付加によるなどの明白である多くの方法で達成することができる。ケーシング１４′の残部(すなわちセグメント１４ａ、１４ｃ及び１４ｅ)は、それらのセグメント１４ａ、１４ｃ及び１４ｅで最大の明るさが可能となるように、好ましくは透明である。図１０の外観３３１−３３２で示された頭部と尾部の矢形への代替例として、三角形、デルタ又は人参形の像(すなわちより大きい／より小さい象徴)を単独で又は直列にグループ化された複数の画像として、他の形状を選択肢として使うことができる。図１０に示された暗い帯域に対する明るい窓の代替例として、照明された背景に対する暗い矢形の外観を作ることができる。
【００５９】
また、(図４Ａに関して本書の他の箇所で説明された)取付けフランジ３２０を照明具２０′の構成に組み入れることにより、矢形の外観３３１−３３２の位置は、それが機能的に設置され、動作中に照明された後、またそれを見ている人のあり得そうな有利な地点に関連して予め決められる。より詳細には、参照のためにケーシング１４′の横断面が時計の文字板と考えられる図１０に示された横断面の姿勢で、そのようなそのフランジ３２０は６：００(６時)に垂直に置かれ、矢形の外観３３１−３３２の中心位置は２時(２：００又は垂直のフランジ３２０からの６０度のずれ)に示されており、好ましくは、１２：００(１２時)に又は１：００から２：３０(１時から２時３０分)の範囲中に置かれる。参照のために、そのような位置のそれぞれは、フランジ３２０の反対側で照明具２０′の表面にあると言え、１：００から２：３０の範囲のいかなる位置も「垂直線からの鈍角のオフセット」を有する位置と称される。図１０では見えないが、同様な矢形の外観は、逆の方向に照明具２０′が設置されることを可能とするために、フランジ３２０のセンターラインに関して鏡像姿勢で照明具２０′の後ろ側に含まれる。矢形の外観３３１−３３２が１２時に置かれる実施形態では、理解できるように、鏡像が主要な像と同じ位置にあるであろうから、そのような鏡像は含まれない。矢形の像３３１−３３２のそのようなすべての方位は、廊下１０５の居住者からそれらの像が見える位置付けである。
【００６０】
代わりの実施形態では、非常口への適切な方向を示すべく矢のような形状が溝１６５に隣接して（又は該溝面を横切って）照明（又はマスキング）され、そのような照明は、矢のような形が線状照明具２０に近接することによってなされる。
【００６１】
［色分け］
線状照明具２０の好ましい変形例の他の特徴は、方向性を示し、出口戸口１０２−１０３をより容易に突き止めるように居住者を援助するための色の使用である。先に述べたように、際立った色(好ましくは赤色)は、照明サブシステム４０のために色方向性の非常に基本的なレベルを提供するために、線状の照明具２０の出口扉１０２及び１０３を取り囲む部分(又は、ある実施形態ではその近傍)に表示することができる。最も好ましくは、色識別は、出口扉照明を廊下照明と区別するが、いくつかの実施形態では、また出口扉１０３の扉照明を上流扉の扉照明と区別することができる。そのような色は、透明な赤色塗料、染料等の薄層、又は好ましくは防火素材から作られた透明な着色被覆を適用することによって、照明具２０に適用される。防火スプレーの使用によって、さらに照明具２０の耐火性能を高めることができる。
【００６２】
代わりの実施形態は、また出口扉を赤で強調することに加えて、色分けの他の用途を採用する。そのような実施形態では、一般的に、着色された扉照明に加えて、出口扉１０３から遠ざかる照明具の部分毎に、前記廊下照明の色は漸次に変わる。好ましくは、色の段階的進展は、扉１０３のまわりの照明具２０と同じ色が点１８−１９で始まり、それが扉１０３から離れて段階的に進むに伴い、扉照明の色とますます異なる。したがって、出口扉１０３での扉照明が、好ましくは赤で、出口扉のどちらの側の基部(図７における点１８―１９)からも始まり、それが扉１０３から最も遠い領域の光の白い(全く赤でない)帯域として表示するまで、線状照明具２０の色は、ますます壁１０６の基部に沿って淡い(より少ない赤)光を放つ。上流又は非出口扉から最も近い(おそらく最も安全な)出口階段吹き抜け又は出口扉に導く幅木の線状照明具２０は、同様に好ましくは、階段吹き抜け又は出口扉に接近するに伴い、白から赤みを増大するように段階的に進展する光を表示するであろう。
【００６３】
明らかになるように、前記廊下照明のための連続的な緩やかな色の進展というよりも、色の進展は段階的に達成され、前記廊下照明の数フィート単位が同じ色であり、次の数フィート単位が少し明るい色である。色を次第に変える多くの他の方法は、当業者に明らかであろう。方向性を示し、戸口、特に出口扉１０２−１０３への道を指図する援助を示すために使用される色の進展のためのいくつかの代わりのパターンは、白から出口扉１０２−１０３に近づくほど徐々に赤色に変わる廊下照明、出口扉フレームのまわりでの赤、上流内部扉の廊下側のフレームのまわりの白、出口戸口のフレームのまわりの交互の赤、白、赤である。
【００６４】
さらに他の選択肢は、扉の上流側に対し扉の下流側に異なる色を使うことである。例えば、戻って図６を参照するに、好適な実施形態は、線状照明具２０の、扉１３０の上流側を取り囲む部分の赤色を含み、該照明具２０は、先にある廊下１０５に通じている扉１３０の扉フレーム縁１５０の輪郭を描くために固定されている。対照的に、同じ扉１３０の廊下側は好ましくは比較的暗いか、代わりの実施形態では、廊下側は、隣接した廊下照明と同じ色で照明される。それゆえ、部屋１１０−１２８及び廊下１０５にいる居住者は、また、色方向性に基づいて進むように正しい方向を理解することができ、赤い出口扉１０３に達するまで赤色を増大させる方向へ幅木１６０の照明具２０の後について行く。
【００６５】
［パルス廊下照明と組み合わされた静的な扉照明］
特に好適な一実施態様では、コネクタ、色、矢印及び波状動作は、全体の照明回路に有益な特徴を提供するために、すべてが組み合わされ、その中にはパルス化された廊下照明と静的な扉照明との組み合わせも含まれる。
【００６６】
好ましくは、静的／パルス化の組み合わせは、交互に連続して配置される２種類の異なるタイプの多重線照明具２０を一緒に接続し、単一回路を設置することによって遂行される。２種類のタイプの一方は、エネルギーを与えられたとき(図９に示されるように)パルス効果を生み出すように撚り線によって構成されるが、他方はそのようには構成されない。前記他のタイプ(「静的な」セクションのための)は、パルス効果なしで照明し、パルスが長さに沿って進むように見えないように、平行な(すなわち撚られない)撚り糸１１−１３に代えて構成される。設置の間に静的セクションをその他と区別しておく簡単さのため、及び異なる色によって扉を強調するための両方のために、好ましくは、照明具２０の静的な部分はすでにそれらの円周ケーシング１４に組み入れられた透明な赤色で設置建物１００に届けられる。前記静的セクションは、また、建物１００のために、標準サイズの扉の周辺のまわりに適合するセクション２０′′(図６に番号付けられている)に必要な距離に一致する長さに予め準備される。
【００６７】
理解されるように、照明具２０の２つの異なるタイプが共に接続されるというよりも、静的／パルス化の組み合わせは、連続する撚り糸１１−１３から造ることができ、設置現場でケーシング１４により被覆されるか、所定の廊下で扉間隔を与えられた各タイプの多重撚り線照明具２０のための必要な寸法及び配置に基づいて工場で生産されて、被覆されるかのいずれかである。
【００６８】
方向性の達成の特に好ましい一方法は、図９に示されているように、透明な被覆、スリーブ又はケーシングに収容される２本、３本又はより多くのＥＬ線(又は他の照明具)の撚られた組み合わせとして各照明具が具体化されることによって達成される。そのような多重撚り線の撚られた(又はそれに代えて編まれた)組み合わせによって、照明具は、次に、最も近いすなわち最適な選択の出口扉２０３又は２０４へ向けての方向を示すために、可視的に動きを擬態する連続的な点滅方法で制御される。図２Ｂは、図２に示された照明サブシステム４０の少なくとも1つの代わりの実施形態のためのコントロールボックス４０′の絵画図である。
【００６９】
［他のタイプの線状照明具］
本発明のいくつかの態様はエレクトロルミネッセンス線の使用と直接に関連しているが、他の態様は、技術的に非線状であるが複数の非線状の照明具の組み合わせによって線状照明具になる照明具を含み、他の線状照明技術を使用する代わりの実施形態で高く評価され得る。可能な線状照明係のいくつかはＬＥＤ(発光ダイオード)照明群に分類されるであろう。特に、本発明の種々の実施形態に役立つであろうLED光源は、
低電圧ＬＥＤロープ／ワイヤ照明（ロープ照明は、直列／並列の超小型のＬＥＤ電球を有する高耐久性の柔軟な線状固体の透明の又は着色されたＰＶＣ管で作られる。）、
ＬＥＤリボン照明（ＬＥＤフレックスリボンストリップ（FLEX RIBBON STRIP）は、プラスチックの耐候性被覆に包み込まれた柔軟な薄帯状の低電圧ＬＥＤ光源である。）及び
ＬＥＤフレキシブルネオン光源（ＬＥＤネオンフレックス（LED NEON-FLEX）は、個々が低電圧ＬＥＤからなる柔軟な線状の連続を収納する内方プラスチック押出で作られ、内方の光チューブをさらに保護する外方の透明プラスチック被覆を有する。LED NEON-FLEXは、内側のプラスチックの押し出し芯に収納された直列の固体発光ダイオード(ＬＥＤ)から成り、UV安定の外方プラスチック被覆はさらに内芯を保護し、非常に多彩な色展開で利用できる。）を含む。
【００７０】
本発明のほとんどの実施形態では、これらのＬＥＤ照明構成要素は、好ましくは０．１５ｍｍから５ｍｍの大きさに寸法付けられ、これら光源の柔軟な性質は、設置するとき、どのような平面な及び曲面にでも取り付けることを可能にする。前記ＬＥＤ光源は、該光源が裂けたり壊れたりせずに大きな緊張、圧力及び応力に耐えることができるようにするシリコン被覆又はＰＣＶ被覆によって覆われており、それらは耐候性及び防水性を有する。
【００７１】
サイドライト及びエンドライトプラスチック光ファイバー(しばしば「ＰＯＦ」又は「ファイバー」と称される)のようなレーザーで照明されるファイバー光フィラメントは、プラスチックから作られた光ファイバーである。伝統的に、ＰＭＭＡ(アクリル)はコア材であり、フッ素化ポリマーはクラッド材である。これらのプラスチック光ファイバーは、光源の目に見える色にかかわらず、1点から他点までそしてケーブル／ファイバーの側面に沿っての光の柔軟な制御された光転送のために、設計される。光は、入力の色に殆ど目に見えるほどの変更を招くことなく長距離を転送され得る。場合によって、ファイバー表面の綿密な機械的処理は、可視光線のサイドグローラインを作ることができる。多くの光ファイバーケーブルは、透明なＰＶＣ被覆に覆われたＰＭＭＡアクリルファイバー(また、プラスチックファイバー可視光ケーブルと称される)のいくつかの個々の撚り糸から構成されている。照明具を利用するすべてのファイバー可視光照明は、しばしば、光エンジン、光ポンプ、光源と称され、またケーブルの長さを通して前記光を汲み上げるケーブルの一端に固定されたトランスフォーマとも称される。照明具は、光ファイバーケーブルのために光を提供するランプを収納する。ファイバーはファイバーヘッドを経て照明具に接続される。1つの光ファイバーの好適な実施形態はマルチモードで、多重撚り線のＯＦＮＰケーブルである。
【００７２】
前記した選択肢のいずれも、ＥＬ線の利点に置き換えることができる多数の利点を提供することができる。ＬＥＤシステムは、また、線状の照明具に近似的に適合することができて、実に、方向性を示すための照明の配列を達成する互換方法を提供する。照明は、また、この明細書で言及されていない他の技術を使ってさらに達成することができることを理解されるであろう。そのような他のオプションには、有機ＬＥＤ(ＯＬＥＤ)技術、ＬＣＤ技術又はネオンあるいはハロゲン照明などの励起不活性ガスがあるであろう。
【００７３】
経路２５及び２６を形成する線状照明具２０を利用する技術で達成可能な範囲まで、コントローラ４１(図２参照)は、好ましくは、トグルスイッチ３７（図２Ｂ参照）の使用によって連続的又はシーケンス手法のいずれかで照明されるべき経路２５、２６の照明を制御するように適合される。前記シーケンス方法は、廊下照明に方向性を示し、従って、誰かが出口に到着するために動く方向を伝達するために、ここに先に説明されたようなパルス効果又は等価のものを達成するどのような方法をも指す。
【００７４】
特定の用途又は設置状況は、代替的な実施形態が目立った線形照明具の外形を利用する機会を提示し、該照明具は、先に参照した目立たない照明具２０のための好ましい直径の範囲よりずっと大きな寸法を有する。目立たない変形例は３．５ｍｍ以下の直径を有するが、目立った実施形態は、３．５ｍｍより大きい、しかし好ましくは１５ｍｍより小さい直径を有する。そのような目立った実施形態は目立たない実施形態のいくつかの特徴を損なうが、それでも目立った実施形態は、目立たなさが関心事ではない適用に適する。そのような適用は、美的であることがそれほど重要性をもたない産業及び商業的環境にあるかもしれない。さらに、目立った実施形態は、照明具の寸法が増大されているので、エネルギーを与えられると一般的により明るい照明を引き起こす。
【００７５】
他の代替的な実施形態が、さらに発明の他の特徴の利益を享受しながら、「好ましい」と評された範囲外の特徴を含むかもしれないことは、また理解されよう。例えば、いくつかの実施形態では、直径寸法が異なっているだけでなく照明のために使われる光源の色が異なっているような照明具構成要素の異なるタイプの複数の寸法及び彩色の結合を含む。実際には、特定の代替実施形態は、赤外線映像を使っている消防士の視界を強化するように、可視及び赤外線の両光を伝えるために、マルチ波長照明具を使用する。そのようなマルチ波長照明具は、特に、同じ光ファイバーケーブル中で二光束を引き起こすファイバー光レーザ照射器で有益であることが解った。
【００７６】
一部を説明したように、さらに他の実施形態は、照明を達成するために種々のタイプの技術を使う。技術のタイプに制限を受けない本発明の態様の実施形態は、ＥＬ線をＬＥＤ構成要素又はファイバーオプチックレーザファイバ（Fiber Optic Laser Fiber(s)）と結合、又はその逆の結合のように、照明技術の一タイプ又はそれ以上のタイプを組み合わせることができ、すべては所定の建物１００又は該建物の所定の一部で同一システムに相互接続される。実際に、そのような差のある組み合わせは、より可変的な指向性が望まれるセクションの配列されたＬＥＤ照明具と結合されるすべての出口扉のための光ファイバー照明の利点と共に、設置者が長い廊下のためにＥＬ線を使う利点を提供することを可能とする。
【００７７】
本発明のいくつかの態様は、エレクトロルミネッセンス線の使用と直接的に関連するが、Betopエレクトロニクスカンパニー社から入手可能な０．１５ｍｍの超薄型のBTgreen ＬＥＤストリップなどの低電圧ＬＥＤ線又柔軟なＬＥＤストリップを利用する本発明のある態様のための他の線状照明技術の実現可能な選択肢の使用によって代わりの実施形態で他の態様が高く評価され得る。レーザ照明されたファイバー光フィラメントは、また、ＥＬ線の利点に代わる多くの利点をもたらす。ＬＥＤシステムは、また、線状の照明具に近似的に適合することができ、まさに、方向性を示すための照明配列を達成する代替方法を提供する。非線状の照明技術は、線状照明具に近い又は等価の結果を達成するさらに他の方法で、実施される得る。
【００７８】
照明具２０のために使われた技術の特殊なタイプとは無関係に、照明具２０は、好ましくは照明を最適化し、最小のパワーと簡単なトランシーバ装置を使い、エネルギーを与えられたとき、軽量であるが、広く及び／又はよく見えるように十分に輝き、費用効果が高い。
【００７９】
［ケーシング素材の選択肢］
照明具２０に組み入れられ及び／又は該照明具を包み込む素材は、好ましくは耐火性及び／又は難燃性を有する。いくつかのオプションはＥＬ線と光ファイバーケーブルで市販されており、同様な難燃性及び耐火性の特徴が材料の置換又は防火塗料又はケーシングの付加によって照明具２０の他の変形で作ることができることを期待できる。本質的に難燃材で無い場合、照明具２０は、好ましくは、「ロースモークゼロハロゲン」(LSZH)被覆又は「プレナム（Plenum）」の名称で市販されているような透明で、特別な処理が施された耐火ケーシング又は被覆１４に入れられる。フレイムシールプロダクツ社（Flame Seal Products, Inc.）は、また、照明具に耐火性を与える薄い１８ミルの被覆として線状照明具２０に吹きかけることができる見えない被覆を提供するために使うことができる耐火障壁被覆（Intumescent Fire Barrier Coating）を提供する、と報告されている。選択肢として、そのような素材は、照明具２０及び関連する構成要素にそれらが建物１００に設置された後に、適用することができる。
【００８０】
好ましくは、それ自体に難燃性や耐火性がない如何なる照明具の選択肢のためにも、「プレナム」被覆又はLSZH被覆のいずれかは、規制ガイドラインに従って耐火性を提供するために、前記照明具のアウタケーシング１４として使われる。そのような被覆タイプのいずれも、緩慢燃焼の難燃性被覆１４を提供し、燃焼の間ほとんど煙がでない。プレナム定格の被覆の使用は、火災の場合に危険なガスの広がりを減らすことによって作業員の安全の確保に役立つ。
【００８１】
［ワイアレスセンサ及び関連応用］
さらに他の代わりの実施形態では、遠隔ワイアレスアクチュエータは、照明サブシステム４０のトリガ起動を引き起こす参照された形態又はそのシステムのいずれの変形にも使用することができる。そのようなワイアレスアクチュエータの使用は、本発明の多くの適用に有益であるが、特に、監視サブシステムが既存構造に設置されるところで、特定の利益は宿泊設備のある又は建築後の安全性適用で高く評価され得る。ＲＦ(無線周波数)送受信器トリガ機構は、ＡＣ電源が入手可能でないか経済的に実行不可能な窓下、廊下などへの前記帯状の製品の設置を可能とする。ＲＦは、建物構造物の遠隔領域に取り付けられるコントローラ４１に接続された遠隔のバッテリーパックをオンするRF送受信器のために設計された周波数で動作するであろう。そのような信号は、緊急反応サブシステム２４によって始動される信号伝達スイッチ機構によって始動させられる。
【００８２】
［着脱容易性］
当業者に明らかなように、ほとんどの実施形態では、照明具２０の経路全体のそれぞれは１つの連続する線状の照明具とすることができるが、該経路は不連続な線状照明具に必要な照明エネルギーを移す適当なコネクタを使って、継ぎ合わせられる種々のセグメントから構成することができる。線状照明具２０の不連続のそのような継ぎ合わせは、好ましくは、切断すること、ターミナル端に下処理（研磨等）を施すこと、互いに隣接する両端を近づけること、その後適切なコネクタを適用することを含む。同様な照明具適応方法は、また、照明具ケーブルを警報装置制御モジュールと接続するために使うことができる。照明される距離が特に長い場合、必要に応じて、中継器又は電力補足ステップを含むことができる。照明される廊下１０５の範囲は、好ましくは、設計者が、1つの扉からの照明具が該廊下を下って対象の出口扉に居住者を向けることを望むと同じほど遠く拡張するほど、おそらく廊下の中心までである。
【００８３】
現在知られているか、あるいは後で発見されるか否かにかかわらず、特に、公に試されるか、さもなければ従来技術で説明された種々のシステム及び方法のすべてを再検討することができるならば、構成及び作用の双方で、前述の説明の慎重で明敏な再考によって当業者に明らかになる、種々に記載され、図示された実施形態の多くの機能の無数の他の選択肢、変形及び部分修正がある。すべてのそのような選択肢、変形及び部分修正は、本発明の範囲に入ると考えられる。本発明は前述の好ましい代替の実施形態で説明されたが、この説明は単に例の説明として提供されており、発明の限定と解釈されるべきではなく、その範囲は関連特許出願のすべての請求項及び該請求項への補正によってのみ制限を受ける。
【００８４】
「のような」、「例えば」等で導入される列挙された例及び選択肢は、読みやすさを通して理解を高めるためであり、先の例を限定するものではないという理解のもとで、添付の請求項の発明を請求する。
【符号の説明】
【００８５】
１１−１３  照明撚り糸
１４ａ、１４ｂ、１４ｃ、１４ｄ、１４ｅ  セグメント
１５  緊急システム
２０、２０′、４２０  線状の照明具
２１、４１  コントローラ
２２−２４、４０  サブシステム
４８  電気エネルギー供給装置
７２  警報器
７３  火災感知器
１００  建物
１０１  階段吹き抜け
１０２−１０３、４０４  出口扉
１０５  廊下
１０６−１０７、１４９  壁
１１０−１２８  部屋
１３０−１４８  （扉）戸口
１５１  周囲
１６０  幅木
【図１】
2012511806.tif 000003
【図２】
2012511806.tif 000004
【図２Ｂ】
2012511806.tif 000005
【図３】
2012511806.tif 000006
【図４】
2012511806.tif 000007
【図４Ａ】
2012511806.tif 000008
【図５】
2012511806.tif 000009
【図６】
2012511806.tif 000010
【図７】
2012511806.tif 000011
【図８】
2012511806.tif 000012
【図９】
2012511806.tif 000013
【図１０】
2012511806.tif 000014
【国際調査報告】
2012511806.tif 000015